(57)【要約】【課題】撮像本線信号の確認表示に影響を与えることなく、撮像する際に有効となる情報を表示可能とする。【解決手段】撮像画像信号による画像に対応した第１の画像を表示するための第１の画像信号を出力する。また、撮像する際に有効となる情報を持つ第２の画像を表示するための第２の画像信号を出力する。カメラ本体に、使用者が同時に監視可能な状態で、２つの表示器が取り付けられる。２つの表示器の一方で第１の画像信号による画像を表示し、その他方で第２の画像信号による画像を表示する。【選択図】図１
2020127245.tif 000002
【特許請求の範囲】
【請求項１】
４Ｋ解像度以上の撮像信号を出力する撮像部と、
前記撮像信号の画枠に対応する第１の表示用画像信号を使用者が撮像時に視認可能な第１の表示部に出力する第１の出力部と、
前記撮像信号に基づく複数の画像信号の中から選択された１つの画像信号を第２の表示用画像信号として前記使用者が撮像時に視認可能な第２の表示部に出力する第２の出力部と、を備え、
少なくとも、前記第１の表示用画像信号または前記第２の表示用画像信号は外部装置から受信したリターン信号である
撮像装置。
【請求項２】
前記複数の画像信号は、前記撮像信号の画枠の一部を切り出して得られた画像信号を含む
請求項１に記載の撮像装置。
【請求項３】
前記撮像信号の画枠の一部を切り出して得られた画像信号は、前記第１の表示用画像信号による画像の一部を拡大した画像を表示するための画像信号であり、解像度のコンバート変換の処理が行われていない画像信号である
請求項２の撮像装置。
【請求項４】
前記撮像信号の画枠と、前記第１の表示用画像信号の画枠は略同一画枠である
請求項１乃至３のいずれかに記載の撮像装置。
【請求項５】
前記第１の表示用画像信号は、前記撮像信号をダウンコンバートして得られる画像信号である
請求項１乃至４のいずれかに記載の撮像装置。
【請求項６】
前記リターン信号は、オンエア画像を表示するための画像信号を含む
請求項１乃至５のいずれかに記載の撮像装置。
【請求項７】
前記リターン信号は、前記第１の表示用画像信号による画像、または前記第１の表示用画像信号による画像の一部、にフォーカス合わせの場所を示す表示が含まれる画像を表示するための画像信号を含む
請求項１乃至６のいずれかに記載の撮像装置。
【請求項８】
前記リターン信号は、前記撮像信号の撮像状態を示す情報、または他の撮像装置の撮像状態を示す情報、を含む画像を表示するための画像信号を含む
請求項１乃至７のいずれかに記載の撮像装置。
【請求項９】
前記撮像信号の画枠の一部に対応する拡大画像を表示するための画像信号を生成する拡大処理部をさらに備え、
前記複数の画像信号は、前記拡大処理部から得られる画像信号を含む
請求項１乃至８のいずれかに記載の撮像装置。
【請求項１０】
前記拡大画像は、前記撮像信号の画枠の一部を切り出して得られた画像信号である
請求項９に記載の撮像装置。
【請求項１１】
前記撮像信号の所定の輝度レベル範囲に対応した領域を予め設定される色または特定輝度パターンで示す画像を表示するための画像信号を生成するレベル表示処理部をさらに備え、
前記複数の画像信号は、前記レベル表示処理部から得られる画像信号を含む
請求項１乃至１０のいずれかに記載の撮像装置。
【請求項１２】
前記撮像信号の撮像状態を示す情報を含む画像を表示するための画像信号を生成するステータス生成モジュール部をさらに備え、
前記複数の画像信号は、前記ステータス生成モジュール部により得られる画像信号を含む
請求項１乃至１１のいずれかに記載の撮像装置。
【請求項１３】
前記第１の表示部と、
前記第２の表示部と、をさらに備える、
請求項１乃至１２のいずれかに記載の撮像装置。
【請求項１４】
４Ｋ解像度以上の撮像信号を出力するステップと、
前記撮像信号の画枠に対応する第１の表示用画像信号を使用者が撮像時に視認可能な第１の表示部に出力するステップと、
前記撮像信号に基づく複数の画像信号の中から選択された１つの画像信号を第２の表示用画像信号として前記使用者が撮像時に視認可能な第２の表示部に出力するステップと、を有し、
少なくとも、前記第１の表示用画像信号または前記第２の表示用画像信号は外部装置から受信したリターン信号である
撮像処理方法。
【請求項１５】
撮像装置と外部装置とを有する撮像システムであり、
前記撮像装置は、
４Ｋ解像度以上の撮像信号を出力する撮像部と、
前記撮像信号の画枠に対応する第１の表示用画像信号を使用者が撮像時に視認可能な第１の表示部に出力する第１の出力部と、
前記撮像信号に基づく複数の画像信号の中から選択された１つの画像信号を第２の表示用画像信号として前記使用者が撮像時に視認可能な第２の表示部に出力する第２の出力部と、を備え、
少なくとも、前記第１の表示用画像信号または前記第２の表示用画像信号は外部装置から受信したリターン信号である
撮像システム。
【発明の詳細な説明】
【技術分野】
【０００１】
本技術は、撮像装置、撮像処理方法および撮像システムに関する。
【背景技術】
【０００２】
カメラ装置における撮像情報の表示として、例えば、レンズフォーカス状態の表示がある。従来、その表示方法として、撮像画像の高域周波数成分を強調して表示することが知られている。あるいは、その表示方法として、任意の必要なエリアを拡大スケーリングして、レンズの焦点状態を撮影者に伝えることが知られている。しかし、これらの表示方法の場合、１つの表示器において、撮像本線信号と切り替えて表示するため、撮像本線信号の真の状態を常時確認することはできなかった。また、従来、本線画像と拡大画像とを組み合わせて１画面に表示する方法が提案されている（例えば、特許文献１参照）。しかし、この場合、１画面内の表示であり、真の本線画像の同時確認はできていない。
【０００３】
また、カメラ装置における撮像情報の表示として、例えば、撮像信号の輝度レベルの表示がある。この表示に関しても、予め指定したレベルの領域を色や特定の画像に置き換えて識別させているが、撮像本線を常時確認することはできない。
【０００４】
また、カメラ装置における撮像情報の表示として、例えば、撮像時のステータス情報の表示がある。この表示に関して、従来は、例えば、撮像時のステータス情報を撮像画像の表示画面の上下部に文字として重畳する場合が多いが、重畳部は画像を隠してしまうため、撮像に支障を生じさせる場合もあった。
【０００５】
また、従来、複数のカメラ装置を使って任意のカメラ装置の画像をオンエア（ON AIR）画像とするシステムの場合、オンエア画像をリターン画像として各々のカメラ装置に伝送して確認できるようになっている。この場合も、撮像装置側で表示するための表示器は１つであり、信号を切り替える必要があり、長時間オンエア画像を確認しながらの操作は不可能であった。
【先行技術文献】
【特許文献】
【０００６】
【特許文献１】特開２０１３−０３４１７３号公報
【発明の概要】
【発明が解決しようとする課題】
【０００７】
本技術の目的は、撮像本線信号の確認表示に影響を与えることなく、撮像する際に有効となる情報を表示可能とすることにある。
【課題を解決するための手段】
【０００８】
本技術の概念は、
撮像画像信号による画像に対応した第１の画像を表示するための第１の画像信号を出力する第１の出力部と、
撮像する際に有効となる情報を持つ第２の画像を表示するための第２の画像信号を出力する第２の出力部を備える
カメラ装置にある。
【０００９】
本技術において、第１の出力部により、撮像画像信号による画像に対応した第１の画像を表示するための第１の画像信号が出力される。また、第２の出力部により、撮像する際に有効となる情報を持つ第２の画像を表示するための第２の画像信号が出力される。例えば、第１の画像信号および第２の画像信号は、自装置で生成される、および/または、カメラコントロールユニットからリターン信号として送られてくる、ようにされてもよい。
【００１０】
また、例えば、第２の画像は、第１の画像の一部に対応した拡大画像である、ようにされてもよい。この場合、例えば、撮像画像信号は４Ｋ解像度の画像信号であり、第１の画像信号は、撮像画像信号にダウンコンバート処理を施して得られた、撮像画像信号と同一画枠のＨＤ解像度の画像信号であり、第２の画像信号は、撮像画像信号から一部を切り出して得られたＨＤ解像度の画像信号である、ようにされてもよい。
【００１１】
また、例えば、第２の画像は、第１の画像のうち撮像画像信号の所定の輝度レベル範囲に対応した領域を予め指定された色または特定輝度パターンで示す画像である、ようにされてもよい。また、例えば、第２の画像は、撮像状態を示す情報を含む画像である、ようにされてもよい。また、例えば、第２の画像は、オンエア画像である、ようにされてもよい。
【００１２】
また、例えば、第２の画像信号は、カメラコントロールユニットからリターン信号として送られてくる画像信号であり、第２の画像は、第１の画像または第１の画像の一部に対応した拡大画像にフォーカス合わせの場所を示す表示が含まれた画像である、ようにされてもよい。
【００１３】
また、撮像画像信号を処理して第１の画像信号を得る標準処理部と、カメラコントロールユニットからリターン信号として送られてくる第１の画像信号を受信する信号受信部と、標準処理部で得られた第１の画像信号または信号受信部で受信された第１の画像信号を選択的に取り出して第１の出力部に送る第１のセレクタをさらに備える、ようにされてもよい。この場合、例えば、第１のセレクタは、カメラコントロールユニットからの第１のセレクタのコントロール信号があるとき、このコントロール信号に基づいて切り替えが制御される、ようにされてもよい。
【００１４】
また、例えば、複数の第２の画像信号からいずれか一つの第２の画像信号を取り出して第２の出力部に送る第２のセレクタをさらに備える、ようにされてもよい。この場合、例えば、第２のセレクタは、拡大処理部で得られた第２の画像信号、レベル表示処理部で得られた第２の画像信号、ステータス生成モジュールで得られた第２の画像信号または信号受信部で受信された第２の画像信号を選択的に取り出して第２の出力部に送る、ようにされてもよい。そして、この場合、第２のセレクタは、カメラコントロールユニットからの第２のセレクタのコントロール信号があるとき、このコントロール信号に基づいて切り替えが制御される、ようにされてもよい。
【００１５】
ここで、拡大処理部で得られる第２の画像信号は、撮像画像信号を処理して第１の画像の一部に対応した拡大画像を第２の画像として表示するための画像信号である。また、レベル表示処理部で得られる第２の画像信号は、撮像画像信号を処理して、第１の画像のうち撮像画像信号の所定の輝度レベル範囲に対応した領域を予め指定された色または特定輝度パターンで示す画像を第２の画像として表示するための画像信号である。また、ステータス生成モジュールで得られる第２の画像信号は、撮像状態を示す情報を含む画像を第２の画像として表示するための画像信号である。また、信号受信部で受信される第２の画像信号は、カメラコントロールユニットからリターン信号として送られてくる画像信号である。
【００１６】
このように本技術においては、撮像画像信号による画像に対応した第１の画像を表示するための第１の画像信号を出力すると共に、撮像する際に有効となる情報を持つ第２の画像を表示するための第２の画像信号を出力するものである。そのため、撮像本線信号の確認表示に影響を与えることなく、撮像する際に有効となる情報を表示することが可能となる。
【００１７】
また、本技術の他の概念は、
カメラ本体と、
上記カメラ本体に、使用者が同時に監視可能な状態で取り付けられた２つの表示器を備え、
上記カメラ本体は、
撮像画像信号による画像に対応した第１の画像を表示するための第１の画像信号を出力して上記２つの表示器の一方に供給する第１の出力部と、
撮像する際に有効となる情報を持つ第２の画像を表示するための第２の画像信号を出力して上記２つの表示器の他方に供給する第２の出力部を有する
カメラ装置にある。
【００１８】
本技術は、カメラ本体に、使用者が同時に監視可能な状態で２つの表示器が取り付けられているものである。そして、このカメラ本体は、第１の出力部および第２の出力部を有するものである。例えば、２つの表示器は、いずれも解放タイプの表示器である、ようにされてもよい。また、例えば、２つの表示器は、覗きタイプの表示器および解放タイプの表示器である、ようにされてもよい。
【００１９】
カメラ本体の第１の出力部により、撮像画像信号による画像に対応した第１の画像を表示するための第１の画像信号が出力されて２つの表示器の一方に供給される。また、カメラ本体の第２の出力部により、撮像する際に有効となる情報を持つ第２の画像を表示するための第２の画像信号が出力されて２つの表示器の他方に供給される。
【００２０】
例えば、カメラ本体は、２つの表示器が覗きタイプの表示器および解放タイプの表示器であり、第２の画像が第１の画像の一部に対応した拡大画像であるとき、第２の出力部から出力される第２の画像信号を、覗きタイプの表示器に供給する、ようにされてもよい。また、例えば、カメラ本体は、２つの表示器が覗きタイプの表示器および解放タイプの表示器であり、第２の画像が第１の画像のうち撮像画像信号の所定の輝度レベル範囲に対応した領域を予め指定された色または特定輝度パターンで示す画像であるとき、第２の出力部から出力される第２の画像信号を、解放タイプの表示器に供給する、ようにされてもよい。
【００２１】
このように本技術においては、カメラ本体から撮像画像信号による画像に対応した第１の画像を表示するための第１の画像信号を出力して２つの表示器の一方に供給すると共に、撮像する際に有効となる情報を持つ第２の画像を表示するための第２の画像信号を出力して２つの表示器の他方に供給するものである。そのため、撮像本線信号の確認表示に影響を与えることなく、撮像する際に有効となる情報を表示することが可能となる。
【発明の効果】
【００２２】
本技術によれば、撮像本線信号の確認表示に影響を与えることなく、撮像する際に有効となる情報を表示可能となる。なお、本明細書に記載された効果はあくまで例示であって限定されるものではなく、また付加的な効果があってもよい。
【図面の簡単な説明】
【００２３】
【図１】実施の形態としてのカメラ装置の基本構成を示す図である。
【図２】実施の形態としてのカメラ装置のカメラ本体の内部モジュール構成例を示す図である。
【図３】制御部における第１のセレクタ、第２のセレクタの切り替え制御処理の一例を示すフローチャートである。
【図４】カメラ内部信号使用時における表示器の表示の一例を示す図である。
【図５】リターン信号使用時における表示器の表示の一例を示す図である。
【図６】２つの表示器のタイプ（解放タイプ、覗きタイプ）を説明するための図である。
【図７】２つの表示器の一方が解放タイプで他方が覗きタイプである場合における表示器の具体的な配置例を示す図である。
【発明を実施するための形態】
【００２４】
以下、発明を実施するための形態（以下、「実施の形態」とする）について説明する。なお、説明を以下の順序で行う。
１．実施の形態
２．変形例
【００２５】
＜１．実施の形態＞
［カメラ装置の構成例］
図１は、実施の形態としてのカメラ装置１０の構成例を示している。このカメラ装置１０は、カメラ本体１００と、撮像レンズ２００と、２つの表示器３０１,３０２からなっている。撮像レンズ２００は、カメラ本体１００の前部のレンズマウント部（図示せず）に取り付けられている。２つの表示器３０１,３０２は、使用者（カメラマン）が同時に監視可能な状態でカメラ本体１００に取り付けられている。表示器３０１,３０２は、例えば、液晶パネルにより構成された解放タイプの表示器である。
【００２６】
カメラ本体１００からは、撮像画像信号が本線信号として出力される。この本線信号は、図示しないカメラコントロールユニット（ＣＣＵ）に送られる。また、カメラ本体１００には、カメラコントロールユニットからリターン信号が入力される。なお、本線信号が記録装置に送られる場合もある。
【００２７】
カメラ本体１００は、撮像画像信号による画像に対応した第１の画像を表示するための第１の画像信号を出力して表示器３０１に供給する。そして、表示器３０１は、この第１の画像信号による第１の画像を表示する。使用者（カメラマン）は、表示器３０１の表示画像（第１の画像）に基づいて、撮像本線信号の確認を常に行うことが可能となる。
【００２８】
また、カメラ本体１００は、撮像する際に有効となる情報を持つ第２の画像を表示するための第２の画像信号を出力して表示器３０２に供給する。そして、表示器３０２は、この第２の画像信号による第２の画像を表示する。使用者（カメラマン）は、表示器３０２の表示画像（第１の画像）に基づいて、撮像する際に有効となる情報を得ることが可能となる。
【００２９】
カメラ本体１００から出力される第１の画像信号および第２の画像信号は、カメラ本体１００内で生成されるか、カメラコントロールユニットからリターン信号として送られてくる。
【００３０】
例えば、表示器３０２は、第２の画像として、例えば、第１の画像の一部に対応した拡大画像を表示する。この場合、使用者（カメラマン）は、この第２の画像がフォーカスポイントを含むように設定することで、この第２の画像に基づいて、フォーカスポイントのフォーカス調整（ピント合わせ）を精度よく行うことが可能となる。
【００３１】
また、例えば、表示器３０２は、第２の画像として、第１の画像のうち撮像画像信号の所定の輝度レベル範囲に対応した領域を予め指定された色または特定輝度パターンで示す画像を表示する。この場合、使用者（カメラマン）は、この第２の画像に基づいて、画像の所定領域の輝度レベルが所定の輝度レベル範囲内に入るように容易に調整することが可能となる。
【００３２】
また、例えば、表示器３０２は、第２の画像として、撮像状態を示す情報を含む画像を表示する。例えば、撮像状態を示す情報は、レンズ状態、カメラセッティング状態などの情報、より具体的にはフレームレート、シャッター開角度などである。この場合、使用者（カメラマン）は、この第２の画像に基づいて、撮像状態を容易に把握することが可能となる。
【００３３】
また、例えば、表示器３０２は、第２の画像として、オンエア画像を表示する。この場合、第２の画像信号はカメラコントロールユニットから送られてくる画像信号である。この場合、使用者（カメラマン）は、この第２の画像に基づいて、オンエア画像を確認することが可能となる。
【００３４】
また、例えば、表示器３０２は、第２の画像として、第１の画像または第１の画像の一部に対応した拡大画像にフォーカス合わせの場所を示す表示（マーカー）が含まれた画像を表示する。この場合、第２の画像信号はカメラコントロールユニットから送られてくる画像信号である。この場合、使用者（カメラマン）は、この第２の画像に基づいて、カメラコントロールユニット側からのフォーカス合わせ場所の指示を容易に把握することが可能となる。
【００３５】
図２は、カメラ本体１００の内部モジュール構成例を示している。カメラ本体１００は、制御部１０１と、ユーザ操作部１０２と、撮像部１０３と、信号処理部１０４と、標準処理部１０５と、拡大処理部１０６と、レベル表示処理部１０７と、ステータス生成モジュール１０８を有している。また、カメラ本体１００は、第１のセレクタ１０９と、出力モジュール１１０と、第２のセレクタ１１１と、出力モジュール１１２と、リターン分離処理部１１３を有している。
【００３６】
制御部（カメラＣＰＵ）１０１は、カメラ本体１００の各部の動作を制御する。ユーザ操作部１０２は、制御部１０１に接続されており、ユーザが種々の操作を行うためのユーザインタフェースを構成する。
【００３７】
撮像部１０３は、ＣＭＯＳ（Complementary Metal-Oxide Semiconductor）、ＣＣＤ（Charge Coupled Devices）などのイメージセンサを持ち、ＨＤ解像度、４Ｋ解像度などの撮像画像信号を出力する。上述の撮像レンズ２００により、イメージセンサの撮像面に、被写体が結像される。信号処理部１０４は、撮像部１０３から出力される撮像画像信号に対して欠陥補正処理などの処理を施し、カメラ本体１００の出力としての撮像画像信号（本線信号）を出力する。この撮像画像信号は、図示しないカメラコントロールユニットに送られる。
【００３８】
標準処理部１０５は、信号処理部１０４から出力される撮像画像信号を処理して、撮像画像信号による画像に対応した、この撮像画像信号と同一画枠の第１の画像を表示するためのＨＤ解像度の第１の画像信号を得る。標準処理部１０５は、例えば、撮像画像信号がＲＧＢ異種配列（ベイヤー配列）をそのまま出力するＲＡＷの形式だった場合、同配列ＲＧＢ信号に変換する。また、標準処理部１０５は、撮像画像信号が４Ｋ解像度などの高解像度画像信号である場合、ダウンコンバートする。
【００３９】
拡大処理部１０６は、信号処理部１０４から出力される撮像画像信号を処理して、第１の画像の一部に対応した拡大画像を第２の画像として表示するためのＨＤ解像度の第２の画像信号を得る。例えば、撮像画像信号がＨＤ解像度の画像信号である場合、拡大処理部１０６は、一部を切り出してアップコンバートする。また、例えば、撮像画像信号が４Ｋ解像度、あるいはその他の高解像度の画像信号である場合、拡大処理部１０６は、ＨＤ解像度に対応した一部を切り出してそのまま用いる。この場合には、アップコンバート処理を行う場合のような解像度低下はない。
【００４０】
この場合、使用者（カメラマン）は、ユーザ操作部１０２により、切り出し位置、つまり拡大すべき位置を任意に設定可能とされる。使用者（カメラマン）は、この切り出し位置を、例えば、フォーカスポイントを含むように設定することで、拡大画像に基づいて、フォーカスポイントのフォーカス調整（ピント合わせ）を精度よく行うことが可能となる。
【００４１】
レベル表示処理部１０７は、信号処理部１０４から出力される撮像画像信号を処理して、第１の画像のうち撮像画像信号の所定の輝度レベル範囲に対応した領域を予め指定された色または特定輝度パターン（例えば、ゼブラパターン、クロスハッチパターンなど）で示す画像を第２の画像として表示するための第２の画像信号を得る。この場合、使用者（カメラマン）は、ユーザ操作部１０２により、輝度レベル範囲と、色または輝度パターンを任意に設定可能とされる。
【００４２】
ステータス生成モジュール１０８は、撮像状態（レンズ状態、カメラセッティング状態など）を示す情報を含む画像を第２の画像として表示するための第２の画像信号を得る。この第２の画像は、例えば、撮像状態を示す情報を文字表示する画像である。
【００４３】
リターン分離処理部１１３は、カメラコントロールユニットから送られてくるリターン信号を受信する。リターン分離処理部１１３は、リターン信号に含まれる第１の画像信号および/または第２の画像信号を分離して取得する。リターン信号から分離取得される第１の画像信号は、上述した標準処理部１０５で得られる第１の画像信号と同様に、撮像画像信号による画像に対応した第１の画像を表示するための画像信号である。この第１の画像信号は、カメラコントロールユニット側でカメラ本体１００から本線信号として送られる撮像画像信号に対して、標準処理部１０５と同等の処理が施されて得られたものである。
【００４４】
また、リターン信号から分離取得される第２の画像信号は、上述した拡大処理部１０６、レベル表示処理部１０７、ステータス生成モジュール１０８などで得られる第２の画像信号と同様に、撮像する際に有効となる情報を持つ第２の画像を表示するための画像信号である。この第２の画像信号は、カメラコントロールユニット側で、例えば、カメラ本体１００から本線信号として送られる撮像画像信号に基づいて得られたものである。
【００４５】
例えば、このようにリターン信号から分離取得される第２の画像信号は、オンエア画像を第２の画像として表示するための画像信号である。また、例えば、このようにリターン信号から分離取得される第２の画像信号は、第１の画像または第１の画像の一部に対応した拡大画像にフォーカス合わせの場所を示す表示（マーカー）が含まれた画像、あるいはフォーカス合わせの場所を示す拡大画像を第２の画像として表示するための画像信号である。また、例えば、このようにリターン信号から分離取得される第２の画像信号は、撮像状態を示す情報を含む画像を第２の画像として表示するための画像信号である。
【００４６】
第１のセレクタ１０９は、標準処理部１０５で得られる第１の画像信号またはリターン分離処理部１１３で得られる第１の画像信号を選択的に取り出して出力モジュール１１０に供給する。出力モジュール１１０は、第１のセレクタ１０９から供給される第１の画像信号を、表示器３０１が適応するデジタルインタフェースに合った信号フォーマットの信号、例えばＳＤＩ信号に変換して、表示器３０１に送信する。
【００４７】
第２のセレクタ１１１は、拡大処理部１０６で得られる第２の画像信号、レベル表示処理部１０７で得られる第２の画像信号、ステータス生成モジュール１０８で得られる第２の画像信号またはリターン分離処理部１１３で得られる第２の画像信号を選択的に取り出して出力モジュール１１２に出力する。出力モジュール１１２は、第２のセレクタ１１１から供給される第２の画像信号を、表示器３０２が適応するデジタルインタフェースに合った信号フォーマットの信号、例えばＳＤＩ信号に変換して、表示器３０２に出力する。
【００４８】
第１のセレクタ１０９、第２のセレクタ１１１における信号選択は、制御部１０１により制御される。この場合、カメラコントロールユニットからのセレクタコントロール信号があるとき、そのコントロール信号に基づいて制御される。
【００４９】
図３のフローチャートは、制御部１０１における第１のセレクタ１０９、第２のセレクタ１１１の切り替え制御処理の一例を示している。制御部１０１は、ステップＳＴ１において、制御処理を開始し、その後に、ステップＳＴ２の処理に移る。
【００５０】
このステップＳＴ２において、制御部１０１は、第１の表示器用のリターン信号が入力されているか、つまりリターン信号に第１の画像信号が含まれているか否かを判断する。リターン信号に第１の画像信号が含まれているとき、制御部１０１は、ステップＳＴ３の処理に移る。一方、リターン信号に第１の画像信号が含まれていないとき、制御部１０１は、ステップＳＴ４において、標準処理信号にセレクタ１を切り替える、つまり、第１のセレクタ１０９を、標準処理部１０５で得られる第１の画像信号を取り出すように、切り替える。その後、制御部１０１は、ステップＳＴ３の処理に移る。
【００５１】
このステップＳＴ３において、制御部１０１は、第２の表示器用のリターン信号が入力されているか、つまりリターン信号に第２の画像信号が含まれているか否かを判断する。リターン信号に第２の画像信号が含まれているとき、制御部１０１は、ステップＳＴ５の処理に移る。一方、リターン信号に第２の画像信号が含まれていないとき、制御部１０１は、ステップＳＴ６において、本体選択指示メニューに従ってセレクタ２を切り替える、つまり、第２のセレクタ１１１を本体選択指示メニューが示す第２の画像信号を取り出すように、切り替える。その後、制御部１０１は、ステップＳＴ５の処理に移る。
【００５２】
このステップＳＴ５において、制御部１０１は、第１の表示器用の外部コントロール信号がカメラコントロールユニットからカメラ本体１００に入力されているか否かを判断する。第１の表示器用の外部コントロール信号が入力されているとき、制御部１０１は、ステップＳＴ７において、外部コントロール指示に従って、セレクタ１を切り替える、つまり、第１のセレクタ１０９を外部コントロール信号が示す第１の画像信号を取り出すように、切り替える。その後、制御部１０１は、ステップＳＴ８の処理に移る。
【００５３】
一方、制御部１０１は、ステップＳＴ５で第１の表示器用の外部コントロール信号が入力されていないとき、ステップＳＴ９において、標準処理信号にセレクタ１を切り替える、つまり、第１のセレクタ１０９を、標準処理部１０５で得られる第１の画像信号を取り出すように、切り替える。その後、制御部１０１は、ステップＳＴ８の処理に移る。
【００５４】
このステップＳＴ８において、制御部１０１は、第２の表示器用の外部コントロール信号がカメラコントロールユニットからカメラ本体１００に入力されているか否かを判断する。第２の表示器用の外部コントロール信号が入力されているとき、制御部１０１は、ステップＳＴ１０において、外部コントロール指示に従って、セレクタ２を切り替える、つまり、第２のセレクタ１１１を外部コントロール信号が示す第２の画像信号を取り出すように、切り替える。
【００５５】
一方、制御部１０１は、ステップＳＴ８で第１の表示器用の外部コントロール信号が入力されていないとき、ステップＳＴ１１の処理に移る。このステップＳＴ１１において、制御部１０１は、本体選択指示メニューに従ってセレクタ２を切り替える、つまり、第２のセレクタ１１１を本体選択指示メニューが示す第２の画像信号を取り出すように、切り替える。
【００５６】
図２に示すカメラ本体１００の動作を簡単に説明する。撮像部１０３から出力される画像信号は信号処理部１０４に供給され、欠陥補正処理などの処理が施される。この信号処理部１０４で得られる撮像画像信号は、カメラ本体１００から本線信号として出力され、例えばカメラコントロールユニットに送られる。
【００５７】
また、信号処理部１０４で得られる撮像画像信号は、標準処理部１０５、拡大処理部１０６およびレベル表示処理部１０７に供給される。標準処理部１０５では、撮像画像信号が処理されて、この撮像画像信号による画像に対応した、この撮像画像信号と同一画枠の第１の画像を表示するためのＨＤ解像度の第１の画像信号が得られる。この第１の画像信号は、第１のセレクタ１０９に供給される。
【００５８】
また、拡大処理部１０６では、信号処理部１０４から出力される撮像画像信号が処理されて、第１の画像の一部に対応した拡大画像を第２の画像として表示するためのＨＤ解像度の第２の画像信号が得られる。この第２の画像信号は、第２のセレクタ１１１に供給される。
【００５９】
また、レベル表示処理部１０７では、信号処理部１０４から出力される撮像画像信号が処理されて、第１の画像のうち撮像画像信号の所定の輝度レベル範囲に対応した領域を予め指定された色または特定輝度パターンで示した画像を第２の画像として表示するための第２の画像信号が得られる。この第２の画像信号は、第２のセレクタ１１１に供給される。
【００６０】
また、ステータス生成モジュール１０８では、撮像状態（レンズ状態、カメラセッティング状態など）を示す情報を含む画像を第２の画像として表示するための第２の画像信号が得られる。この第２の画像信号は、第２のセレクタ１１１に供給される。
【００６１】
また、カメラコントロールユニット（ＣＣＵ）から送られてくるリターン信号はリターン分離処理部１１３で受信される。そして、このリターン分離処理部１１３では、リターン信号に含まれる第１の画像信号および/または第２の画像信号が分離されて取得される。第１の画像信号は第１のセレクタ１０９に供給され、第２の画像信号は第２のセレクタ１１１に供給される。
【００６２】
第１のセレクタ１０９では、標準処理部１０５で得られる第１の画像信号またはリターン分離処理部１１３で得られる第１の画像信号が選択的に取り出されて出力モジュール１１０に供給される。出力モジュール１１０では、この第１の画像信号が、表示器３０１が対応する所定の信号フォーマットの信号（例えば、ＳＤＩ信号など）に変換されて、表示器３０１に供給される。これにより、表示器３０１には、第１のセレクタ１０９で取り出された第１の画像信号による、撮像画像信号による画像に対応した第１の画像が表示される。
【００６３】
第２のセレクタ１１１では、拡大処理部１０６で得られる第２の画像信号、レベル表示処理部１０７で得られる第２の画像信号、ステータス生成モジュール１０８で得られる第２の画像信号またはリターン分離処理部１１３で得られる第２の画像信号が選択的に取り出されて出力モジュール１１２に供給される。出力モジュール１１２では、この第２の画像信号が、表示器３０２が対応する所定の信号フォーマットの信号（例えば、ＳＤＩ信号など）に変換されて、表示器３０２に供給される。これにより、表示器３０２には、第２のセレクタ１１１で取り出された第２の画像信号による、撮像状態を示す情報を含む第２の画撮が表示される。
【００６４】
図４は、第２のセレクタ１１１で拡大処理部１０６からの第２の画像信号、レベル表示処理部１０７からの第２の画像信号またはステータス生成モジュール１０８からの第２の画像信号のいずれかが取り出される場合、つまりカメラ内部信号使用時における表示器３０１，３０２の表示の一例を示している。
【００６５】
この場合、第１のセレクタ１１１では、標準処理部１０５からの第１の画像信号あるいはリターン分離処理部１１３からの第１の画像信号のいずれかが取り出され、表示器３０１には、標準画像、つまり撮像画像信号（本線信号）による画像に対応した第１の画像が表示される。
【００６６】
図４（ａ）は、第２のセレクタ１１１で拡大処理部１０６からの第２の画像信号が取り出された場合における表示器３０１，３０２の表示の一例を示している。表示器３０２には、表示器３０１に表示される標準画像（第１の画像）の一部に対応した拡大画像が第２の画像として表示される。この拡大画像は、例えば、フォーカス（focus）のピント合わせを目的として表示される。
【００６７】
図４（ｂ）は、第２のセレクタ１１１でレベル表示処理部１０７からの第２の画像信号が取り出された場合における表示器３０１，３０２の表示の一例を示している。表示器３０２には、表示器３０１に表示される標準画像（第１の画像）のうち撮像画像信号の所定の輝度レベル範囲に対応した領域が予め指定された色または特定輝度パターン（例えば、ゼブラパターン、クロスハッチパターンなど）で示された画像が第２の画像として表示される。例えば、輝度レベルが１００％付近は赤色（矢印Ｐ参照）で表示され、輝度レベルが６０％付近は緑色（矢印Ｑ参照）で表示される。このレベル表示画像は、例えば、アイリス（iris）による輝度レベル合わせを目的として表示される。
【００６８】
図４（ｃ）は、第２のセレクタ１１１でステータス生成モジュール１０８からの第２の画像信号が取り出された場合における表示器３０１，３０２の表示の一例を示している。表示器３０２には、本線信号ステータス表示（フレームレート、シャッター開角度など）を含む画像が表示される。この画像は、例えば、撮像状態を常時確認する目的で表示される。
【００６９】
図５は、第２のセレクタ１１１でリターン分離処理部１１３からの第２の画像信号が取り出される場合、つまりリターン信号使用時における表示器３０１，３０２の表示の一例を示している。この場合、第１のセレクタ１１１では、標準処理部１０５からの第１の画像信号あるいはリターン分離処理部１１３からの第１の画像信号のいずれかが取り出され、表示器３０１には、標準画像、つまり撮像画像信号（本線信号）による画像に対応した第１の画像が表示される。
【００７０】
図５（ａ）は、リターン分離処理部１１３でオンエア（ON AIR）画像を表示するための第２の画像信号が得られた場合における表示器３０１，３０２の表示の一例を示している。表示器３０２には、オンエア画像が表示される。このオンエア画像は、オンエアを確認しつつ自身の撮像アングル等を管理する目的で表示される。
【００７１】
図５（ｂ）は、リターン分離処理部１１３で表示器３０１に表示される標準画像（第１の画像）にフォーカス合わせの場所を示す表示（マーカー）が含まれた画像を表示するための第２の画像信号が得られた場合における表示器３０１，３０２の表示の一例を示している。表示器３０２には、例えば、フォーカス合わせの場所を示す矩形枠（矢印Ｒ参照）を持つ画像が表示される。この画像は、カメラコントロールユニット側からフォーカス（focus）の具体的なピント合わせ場所を指示する目的で表示される。
【００７２】
図５（ｃ）は、リターン分離処理部１１３で表示器３０１に表示される標準画像（第１の画像）の拡大画像にフォーカス合わせの場所を示す表示（マーカー）が含まれた画像を表示するための第２の画像信号が得られた場合における表示器３０１，３０２の表示の一例を示している。表示器３０２には、例えば、フォーカス合わせの場所を示す矩形枠（矢印Ｒ参照）を持つ拡大画像が表示される。この画像も、カメラコントロールユニット側からフォーカス（focus）の具体的なピント合わせ場所を指示する目的で表示される。拡大画像が表示されることで、使用者（カメラマン）によるピント合わせが容易となる。
【００７３】
図５（ｄ）は、リターン分離処理部１１３で撮像状態を示す情報を含む画像を表示するための第２の画像信号が得られた場合における表示器３０１，３０２の表示の一例を示している。表示器３０２には、例えば、システムの状態（フレームレートなど）を含む画像が表示される。この場合、自身のカメラ本体１００の情報だけでなく、カメラコントロールユニットに接続されている任意の撮像機器の情報も表示可能となる。この画像は、自身のカメラ本体１００やその他の撮像機器の情報を常時確認する目的で表示される。
【００７４】
図１、図２に示すカメラ本体１００においては、撮像画像信号による画像に対応した第１の画像を表示するための第１の画像信号を出力して表示器３０１に供給すると共に、撮像する際に有効となる情報を持つ第２の画像を表示するための第２の画像信号を出力して表示器３０１に供給するものである。そのため、撮像本線信号の確認表示に影響を与えることなく、撮像する際に有効となる情報を表示することが可能となる。
【００７５】
例えば、レンズフォーカス操作において、本線となる自然な全体画像を確認しつつ、必要なエリアの拡大画像で、表示器側の表現画素制約があってもピント合わせが容易になる。また、カメラコントロールユニット（外部装置）で生成するリターン画像を使うことで、フォーカスエリアの指示がスムースに行えるようにもなる。
【００７６】
また、例えば、レンズのアイリス操作において、本線となる自然な全体画像を確認しつつ、任意の必要なエリアの輝度情報を同時に確認して操作することができる。また、例えば、撮影における撮像装置の種々の情報を、本線となる自然な画像を確認しつつ常時把握する事が可能となる。
【００７７】
＜２．変形例＞
なお、上述実施の形態において、図６（ａ）に示すように、カメラ本体１００に、２つの解放タイプの表示器３０１,３０２が取り付けられた例を示した。しかし、表示器３０１,３０２の双方が覗きタイプである場合も考えられる。この場合、使用者（カメラマン）が片方の眼で覗くことで、表示器３０１,３０２の両方を監視可能な構成とされる。
【００７８】
また、図６（ｂ）に示すように、２つの表示器３０１,３０２のうち、一方が解放タイプで、他方が覗きタイプである場合も考えられる。図７は、その場合における表示器３０１,３０２の具体的な配置例を示している。図示の例では表示器３０１が解放タイプで表示器３０２が覗きタイプである例を示しているが、この逆であってもよい。なお、この場合、第２の画像の内容によって、この第２の画像を解放タイプで表示するか覗きタイプで表示するかを切り替える構成も考えられる。
【００７９】
例えば、第２のセレクタ１１１で選択される第２の画像信号が、拡大画像を表示する画像信号であるとき、この画像信号は、覗きタイプの表示器に供給される。また、例えば、第２のセレクタ１１１で選択される第２の画像信号が、レベル表示画像であるとき、この画像信号は、解放タイプの表示器に供給される。
【００８０】
また、上述実施の形態においては、表示器３０１,３０２がＨＤ解像度の表示器であるとして説明したが、これに限定されるものではない。また、上述実施の形態においては、カメラ本体１００に２個の表示器３０１,３０２が接続された例を示したが、カメラ本体１００に３個以上の表示器を接続した構成も考えられる。その場合、標準画像（第１の画像）を常時表示した状態で、撮像する際に有効となる情報を持つ第２の画像を２つ以上同時に表示することも可能となる。また、上述実施の形態においては、撮像状態を示す情報を持つ画像を独立して表示する例を示したが、拡大画像あるいはレベル表示画像に、撮像状態を示す情報を重畳して表示することも考えらえる。
【００８１】
また、本技術は、以下のような構成を取ることもできる。
（１）撮像画像信号による画像に対応した第１の画像を表示するための第１の画像信号を出力する第１の出力部と、
撮像する際に有効となる情報を持つ第２の画像を表示するための第２の画像信号を出力する第２の出力部を備える
カメラ装置。
（２）上記第１の画像信号および上記第２の画像信号は、自装置で生成される、および/または、カメラコントロールユニットからリターン信号として送られてくる
前記（１）に記載のカメラ装置。
（３）上記第２の画像は、
上記第１の画像の一部に対応した拡大画像である
前記（１）または（２）に記載のカメラ装置。
（４）上記撮像画像信号は４Ｋ解像度の画像信号であり、
上記第１の画像信号は、上記撮像画像信号にダウンコンバート処理を施して得られた、該撮像画像信号と同一画枠の画像信号であり、
上記第２の画像信号は、上記撮像画像信号から一部を切り出して得られたＨＤ解像度の画像信号である
前記（３）に記載のカメラ装置。
（５）上記第２の画像は、
上記第１の画像のうち上記撮像画像信号の所定の輝度レベル範囲に対応した領域を予め指定された色または特定輝度パターンで示す画像である
前記（１）または（２）に記載のカメラ装置。
（６）上記第２の画像は、
撮像状態を示す情報を含む画像である
前記（１）または（２）に記載のカメラ装置。
（７）上記第２の画像は、
オンエア画像である
前記（１）または（２）に記載のカメラ装置。
（８）上記第２の画像信号は、
カメラコントロールユニットからリターン信号として送られてくる画像信号であり、
上記第２の画像は、
上記第１の画像または上記第１の画像の一部に対応した拡大画像にフォーカス合わせの場所を示す表示が含まれた画像である
前記（１）または（２）に記載のカメラ装置。
（９）上記撮像画像信号を処理して上記第１の画像信号を得る標準処理部と、
カメラコントロールユニットからリターン信号として送られてくる上記第１の画像信号を受信する信号受信部と、
上記標準処理部で得られた上記第１の画像信号または上記信号受信部で受信された上記第１の画像信号を選択的に取り出して上記第１の出力部に送る第１のセレクタをさらに備える
前記（１）または（２）に記載のカメラ装置。
（１０）上記第１のセレクタは、
カメラコントロールユニットからの上記第１のセレクタのコントロール信号があるとき、該コントロール信号に基づいて切り替えが制御される
前記（９）に記載のカメラ装置。
（１１）複数の第２の画像信号からいずれか一つの第２の画像信号を取り出して上記第２の出力部に送る第２のセレクタをさらに備える
前記（１）または（２）に記載のカメラ装置。
（１２）上記撮像画像信号を処理して上記第１の画像の一部に対応した拡大画像を上記第２の画像として表示するための第２の画像信号を得る拡大処理部と、
上記撮像画像信号を処理して、上記第１の画像のうち上記撮像画像信号の所定の輝度レベル範囲に対応した領域を予め指定された色または特定輝度パターンで示す画像を上記第２の画像として表示するための第２の画像信号を得るレベル表示処理部と、
撮像状態を示す情報を含む画像を上記第２の画像として表示するための第２の画像信号を得るステータス生成モジュールと、
カメラコントロールユニットからリターン信号として送られてくる上記第２の画像信号を受信する信号受信部をさらに備え、
上記第２のセレクタは、上記拡大処理部で得られた上記第２の画像信号、上記レベル表示処理部で得られた上記第２の画像信号、上記ステータス生成モジュールで得られた上記第２の画像信号または上記信号受信部で受信された上記第２の画像信号を選択的に取り出して上記第２の出力部に送る
前記（１１）に記載のカメラ装置。
（１３）上記第２のセレクタは、
カメラコントロールユニットからの上記第２のセレクタのコントロール信号があるとき、該コントロール信号に基づいて切り替えが制御される
前記（１２）に記載のカメラ装置。
（１４）カメラ本体と、
上記カメラ本体に、使用者が同時に監視可能な状態で取り付けられた２つの表示器を備え、
上記カメラ本体は、
撮像画像信号による画像に対応した第１の画像を表示するための第１の画像信号を出力して上記２つの表示器の一方に供給する第１の出力部と、
撮像する際に有効となる情報を持つ第２の画像を表示するための第２の画像信号を出力して上記２つの表示器の他方に供給する第２の出力部を有する
カメラ装置。
（１５）上記２つの表示器は、いずれも解放タイプの表示器である
前記（１４）に記載のカメラ装置。
（１６）上記２つの表示器は、覗きタイプの表示器および解放タイプの表示器である
前記（１４）に記載のカメラ装置。
（１７）上記カメラ本体は、
上記第２の画像が上記第１の画像の一部に対応した拡大画像であるとき、上記第２の出力部から出力される上記第２の画像信号を、上記覗きタイプの表示器に供給する
前記（１６）に記載のカメラ装置。
（１８）上記カメラ本体は、
上記第２の画像が上記第１の画像のうち上記撮像画像信号の所定の輝度レベル範囲に対応した領域を予め指定された色または特定輝度パターンで示す画像であるとき、上記第２の出力部から出力される上記第２の画像信号を、上記解放タイプの表示器に供給する
前記（１６）または（１７）に記載のカメラ装置。
【符号の説明】
【００８２】
１０・・・カメラ装置
１００・・・カメラ本体
１０１・・・制御部
１０２・・・ユーザ操作部
１０３・・・撮像部
１０４・・・信号処理部
１０５・・・標準処理部
１０６・・・拡大処理部
１０７・・・レベル表示処理部
１０８・・・ステータス生成モジュール
１０９・・・第１のセレクタ
１１０，１１２・・・出力モジュール
１１１・・・第２のセレクタ
１１３・・・リターン分離処理部
２００・・・撮像レンズ
３０１，３０２・・・表示器
【図１】
2020127245.tif 000003
【図２】
2020127245.tif 000004
【図３】
2020127245.tif 000005
【図４】
2020127245.tif 000006
【図５】
2020127245.tif 000007
【図６】
2020127245.tif 000008
【図７】
2020127245.tif 000009
【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
４Ｋ解像度以上の撮像信号を出力する撮像部を有する撮像装置と、
前記撮像信号に基づいて画像信号を生成する外部装置と、
使用者が撮影時に視認可能な第１の表示装置および第２の表示装置と、を備え、
前記第１の表示装置は、前記撮像信号の画枠に対応する第１の表示用画像信号による画像を表示し、
前記第２の表示装置は、前記撮像信号に基づく第２の表示用画像信号による画像を表示し、
前記前記第１の表示用画像信号および前記第２の表示用画像信号は、前記撮像装置または前記外部装置において生成された画像信号であり、
前記第１の表示用画像信号または前記第２の表示用画像信号の少なくとも一方は、前記外部装置において生成された画像信号である、
撮像システム。
【請求項２】
前記第２の表示用画像信号は、前記撮像装置または前記外部装置において前記撮像信号に基づいて生成された複数の画像信号の中から選択された１つの画像信号である、
請求項１に記載の撮像システム。
【請求項３】
前記複数の画像信号は、前記撮像信号の画枠の一部を切り出して得られた画像信号を含む
請求項２に記載の撮像システム。
【請求項４】
前記撮像信号の画枠の一部を切り出して得られた画像信号は、前記第１の表示用画像信号による画像の一部を拡大した画像を表示するための画像信号であり、解像度のコンバート変換の処理が行われていない画像信号である
請求項３の撮像システム。
【請求項５】
前記複数の画像信号は、前記撮像信号の画枠の一部に対応する拡大画像を表示するための画像信号を含む
請求項２乃至４に記載の撮像システム。
【請求項６】
前記拡大画像を表示するための画像信号は、前記撮像信号の画枠の一部を切り出して得られた画像信号である
請求項５に記載の撮像システム。
【請求項７】
前記複数の画像信号は、前記撮像信号の所定の輝度レベル範囲に対応した領域を予め設定される色または特定輝度パターンで示す画像を表示するための画像信号を含む
請求項２乃至６のいずれかに記載の撮像システム。
【請求項８】
前記複数の画像信号は、前記撮像信号の撮像状態を示す情報を含む画像を表示するための画像信号を含む
請求項２乃至７のいずれかに記載の撮像システム。
【請求項９】
前記撮像装置は、
前記第１の表示用画像信号を前記第１の表示装置に出力する第１の出力部と、
前記第２の表示用画像信号を前記第２の表示装置に出力する第２の出力部と、を備える、
請求項１乃至８のいずれかに記載の撮像システム。
【請求項１０】
前記撮像信号の画枠と、前記第１の表示用画像信号の画枠は略同一画枠である
請求項１乃至９のいずれかに記載の撮像システム。
【請求項１１】
前記第１の表示用画像信号は、前記撮像信号をダウンコンバートして得られる画像信号である
請求項１乃至１０のいずれかに記載の撮像システム。
【請求項１２】
前記外部装置において生成された画像信号は、オンエア画像を表示するための画像信号を含む
請求項１乃至１１のいずれかに記載の撮像システム。
【請求項１３】
前記外部装置において生成された画像信号は、前記第１の表示用画像信号による画像、または前記第１の表示用画像信号による画像の一部、にフォーカス合わせの場所を示す表示が含まれる画像を表示するための画像信号を含む
請求項１乃至１２のいずれかに記載の撮像システム。
【請求項１４】
前記外部装置において生成された画像信号は、前記撮像信号の撮像状態を示す情報、または他の撮像装置の撮像状態を示す情報、を含む画像を表示するための画像信号を含む
請求項１乃至１３のいずれかに記載の撮像システム。
【手続補正３】
【補正対象書類名】明細書
【補正対象項目名】０００１
【補正方法】変更
【補正の内容】
【０００１】
本技術は、撮像システムに関する。